(57)【要約】【課題】閉塞位置に配置されている扉体を開放位置に向けて容易に移動させることができるスライド扉を提供すること。【解決手段】レール３と、レール３の長手方向上の閉塞位置と開放位置との間をスライド移動可能な扉体４と、を備えるスライド扉１であって、扉体４を閉塞位置から開放位置に向けて付勢する付勢手段２１と、扉体４を閉塞位置で保持する保持手段２０と、保持手段２０による扉体４の保持を解除する保持解除手段１３と、を備え、保持解除手段１３は、扉体４の正面側から操作されることで保持手段２０による扉体４の保持を解除する。【選択図】図１
2010285852.tif 000002
【特許請求の範囲】
【請求項１】
レールと、該レールの長手方向上の閉塞位置と開放位置との間をスライド移動可能な扉体と、を備えるスライド扉であって、
前記扉体を前記閉塞位置から前記開放位置に向けて付勢する付勢手段と、前記扉体を前記閉塞位置で保持する保持手段と、該保持手段による前記扉体の保持を解除する保持解除手段と、を備え、
前記保持解除手段は、前記扉体の正面側から操作されることで前記保持手段による前記扉体の保持を解除することを特徴とするスライド扉。
【請求項２】
前記保持解除手段は、前記扉体の正面側から押圧操作されることで前記保持手段による前記扉体の保持を解除することを特徴とする請求項１に記載のスライド扉。
【請求項３】
前記保持解除手段は、前記扉体の把手であることを特徴とする請求項１または２に記載のスライド扉。
【発明の詳細な説明】
【技術分野】
【０００１】
本発明は、レールと、レールの長手方向上の閉塞位置と開放位置との間をスライド移動可能な扉体と、を備えるスライド扉に関する。
【背景技術】
【０００２】
従来のスライド扉は、直線状に形成されて互いに平行な２本のレールを有し、一方が固定された固定レールで他方が前後に移動可能な可動レールであり、それぞれのレールには戸板（扉体）が吊持されて、閉鎖時には、この戸板の正面が面一に並設されて見栄えを良くしている。このスライド扉を開放するには、可動レールに吊持された戸板を、戸板に取り付けられた把手を持って可動レールと戸板を一緒に手前に引き出すか、固定レールに吊持された戸板を押す、若しくは、可動レールに吊持された戸板を押すことにより、斜めに重なり合った戸板同士の召し合わせ面同士が当接され、可動レールと戸板を手前に引き出すことで引き違い状態として構成されている（例えば、特許文献１参照）。
【先行技術文献】
【特許文献】
【０００３】
【特許文献１】特開２００６−１４４２２１号公報（第５頁、第２図）
【発明の概要】
【発明が解決しようとする課題】
【０００４】
しかしながら、特許文献１にあっては、使用者が閉鎖時の戸板（扉体）を開放する初動に要する力は、使用者が開放する途上の戸板に加える力よりも大きくなければならないため、使用者が筋力の弱い幼児や老人等の場合には、閉鎖時の戸板を解放することが困難であるという問題がある。
【０００５】
本発明は、このような問題点に着目してなされたもので、閉塞位置に配置されている扉体を開放位置に向けて容易に移動させることができるスライド扉を提供することを目的とする。
【課題を解決するための手段】
【０００６】
前記課題を解決するために、本発明のスライド扉は、
レールと、該レールの長手方向上の閉塞位置と開放位置との間をスライド移動可能な扉体と、を備えるスライド扉であって、
前記扉体を前記閉塞位置から前記開放位置に向けて付勢する付勢手段と、前記扉体を前記閉塞位置で保持する保持手段と、該保持手段による前記扉体の保持を解除する保持解除手段と、を備え、
前記保持解除手段は、前記扉体の正面側から操作されることで前記保持手段による前記扉体の保持を解除することを特徴としている。
この特徴によれば、閉塞位置で保持手段による保持を解除された扉体は、閉塞位置から開放位置に向けて付勢手段による付勢力によって牽引されるので、使用者が扉体を閉塞位置から開放位置に向けてスライド移動させる初動にかかる力が軽減され、扉体を開放位置に向けて移動させ易くすることができる。
【０００７】
本発明のスライド扉は、
前記保持解除手段は、前記扉体の正面側から押圧操作されることで前記保持手段による前記扉体の保持を解除することを特徴としている。
この特徴によれば、使用者は、例えば、保持解除手段に対して体重をかける等のさほど力を必要としない押圧動作によって、閉塞位置での保持手段による扉体の保持を解除することができる。
【０００８】
本発明のスライド扉は、
前記保持解除手段は、前記扉体の把手であることを特徴としている。
この特徴によれば、使用者は、閉塞位置での保持手段による扉体の保持を行いながら把手を把持することで、スムーズに扉体を開放位置に向けてスライド移動させることができる。
【図面の簡単な説明】
【０００９】
【図１】実施例におけるスライド扉を示す正面図である。
【図２】図１におけるスライド扉のＡ−Ａ断面図である。
【図３】図２におけるストッパーのＢ−Ｂ断面図である。
【図４】図２における扉体のＣ−Ｃ断面図である。
【図５】（ａ）は、付勢部を示す断面図であり、（ｂ）は、図５（ａ）におけるＤ−Ｄ断面図である。
【発明を実施するための形態】
【００１０】
本発明に係るスライド扉を実施するための形態を実施例に基づいて以下に説明する。
【実施例】
【００１１】
実施例に係るスライド扉につき、図１から図５を参照して説明する。尚、本実施例では図１と図３及び図５（ａ）における紙面手前側と、図２及び図５（ｂ）における紙面右側をスライド扉の正面側とし、図１と図３及び図５（ａ）における紙面右側と、図２及び図５（ｂ）における紙面奥側をスライド扉の右側として説明する。図１の符号１は、例えば、老人ホーム等の部屋の出入口に設けられた本発明のスライド扉である。
【００１２】
このスライド扉１は、主に床面に設けられた下部レール２及び天井に設けられた上部レール３と、下部レール２と上部レール３との間に引き違い状態で配置された２枚の扉体４と、から構成されている。これら扉体４は、下部レール２及び上部レール３との間で、部屋の出入口を閉塞する閉塞位置と部屋の出入口を開放する開放位置との間で、左右方向にスライド移動可能となっている。
【００１３】
そして、本発明のスライド扉は、老人等の筋力の弱い使用者が使用する場合であっても、扉体４を閉塞位置から開放位置にスライド移動させる初動の力を軽減して、扉体４を開放し易くなっているものである。以下、スライド扉１の構造について詳述する。尚、本実施例における扉体４は左右対称の同一構成につき、右側の扉体４についてのみの詳述とする。
【００１４】
図１に示すように、扉体４は、正面視長方形状に形成された木材等の扉板５を有している。この扉板５の左右側端部には、上下方向略全長に亘って側部フレーム６が取り付けられており、扉板５の上端部には左右方向略全長に亘って上部フレーム７が、下端部には左右方向略全長に亘って下部フレーム８が、それぞれ取り付けられている。これら側部フレーム６と上部フレーム７及び下部フレーム８はアルミ材等の軽金属材により構成されている。
【００１５】
下部フレーム８の下端部には、下部レール２上を回動可能な２つのローラ９が左右方向に離間して取り付けられている。また、図５（ａ）及び図５（ｂ）に示すように、上部レール３の上端部左側には、側断面視略Ｌ字形状に形成されたＬ字片１０を介して、前後方向を向く枢軸１０ａによって回動自在なローラ１０ｂが枢支されている。更に、Ｌ字片１０の上端部右側には、後述するキャッチャー２３に係止されるための係止ピン１０ｃが上方に向けて延設されている。
【００１６】
一方、上部レール３は内部が中空に形成されており、左右方向略全長に亘って下方に開口３ａが形成されている。開口３ａの後端部には上方に向けてガイド片３ｂが延設されており、このガイド片３ｂには、上部レール３内に挿通されたローラ１０ｂが回動可能に載置される。このため、扉体４はローラ９，１０ｂによって下部レール２と上部レール３に沿って閉塞位置と開放位置とをスライド移動可能となっている。
【００１７】
また、図２及び図４に示すように、扉板５の右側端部に取り付けられた側部フレーム６には、側部フレーム６の上下方向略全長にかけて左側方に向けて開口する溝部６ａが形成されている。この溝部６ａの上下方向略中央には、正面側に開口する開口部６ｂが形成されている。
【００１８】
更に、この開口部６ｂ内には、正面側に向けて開口するケース体１１が挿入配置されている。このケース体１１内には、ケース体１１内を上下方向に移動可能なスライダー１２が配置されているとともに、使用者が扉体４を開放位置に移動させるために把持する把手１３の後部が正面側から挿入配置されている。
【００１９】
ケース体１１内に挿入配置された把手１３の後部には扉体４の正面側から背面側にかけて下方に向けて傾斜をなすテーパー面１３ａが、スライダー１２の下端部には把手１３と同じく扉体４の正面側から背面側にかけて下方に向けて傾斜をなすテーパー面１２ａが、それぞれ形成されており、把手１３とスライダー１２とは、これらテーパー面１２ａ，１３ａで互いに略面接触している。
【００２０】
このため、使用者が把手１３を扉体４の正面側から背面側にかけて押圧すると、把手１３が扉体４の背面側に向けて移動しながらテーパー面１３ａでスライダー１２を上方に向けてスライド移動させるようになっている。尚、スライダー１２の上端部にはケース体１１内上端面に当接するコイルバネ１４が設けられているため、把手１３によって上方に向けてスライド移動されたスライダー１２は、コイルバネ１４の復元力によってテーパー面１２ａで扉体の正面側に向けてスライド移動させるようになっている。つまり、使用者が把手１３の押圧を止めると、把手１３はコイルバネ１４の復元力により使用者に押圧される前の位置に復帰するようになっている。
【００２１】
また、スライダー１２は、左側端部がケース体１１の左側方に向けて突出している。このスライダー１２の左側端部には、溝部６ａ内で上下方向を向くシャフト１５の下端部が保持されている。更に、シャフト１５の上端部は、側部フレーム６の上方に配置されている。
【００２２】
側部フレーム６の上端部には、図２及び図３に示すように、扉体４を上部フレーム７内で係止するための係止部材１６が取り付けられている。この係止部材１６は、内部が上下方向に貫通形成された略筒状のケース体１７と、このケース体１７内部で前後方向を向く枢軸１９によって枢支されたストッパー１８と、から構成されている。
【００２３】
ケース体１７の右側部には、左右方向を向く貫通孔１７ａが形成されている。この貫通孔１７ａを介してストッパー１８の左部がケース体１７内に挿入配置されている。更に、ストッパー１８の左部は、ケース体１７内で前後方向を向く枢軸１９によって枢支されている。このため、ストッパー１８の右部はケース体１７の右外方にて上下方向に揺動可能となっている。
【００２４】
尚、枢軸１９内には、図示しないコイルバネが設けられている。ストッパー１８は、このコイルバネによって右部を上方に向けて付勢されているとともに、貫通孔１７ａの上面に当接することによって、左右方向を向く水平状態に保持されている。更に尚、ストッパー１８の右部には、上下方向を向く係止孔１８ａが形成されており、更に右端部には、右方から左方にかけて上方に向けて傾斜をなすテーパー面１８ｂが形成されている。
【００２５】
ケース体１７の下部は、側部フレーム６の溝部６ａに上方から嵌合可能な嵌合部１７ｂに形成されており、この嵌合部１７ｂを溝部６ａに嵌合させることによってケース体１７は側部フレーム６の上端部に取り付けられている。このため、ケース体１７内のストッパー１８の左部下方には、シャフト１５の上端部が配置されるようになっている。
【００２６】
次に、上部レール３内について説明する。上部レール３内の右端部には、ストッパー１８の係止孔１８ａに挿通されることで扉体４を閉塞位置に保持するための突部２０が下方に向けて突設されている。この突部２０の下部には、右方から左方にかけて上方に向けて傾斜をなすテーパー面２０ａが形成されている。
【００２７】
そして、この突部２０は、扉体４を開放位置側から閉塞位置に向けて移動させることでストッパー１８のテーパー面１８ｂにテーパー面２０ａで当接し、ストッパー１８を押し下げ、扉体４が閉塞位置に配置されることで係止孔１８ａ内に挿通されるようになっている。このため、閉塞位置に配置された扉体４に開放位置に向けての力がはたらいても、突部２０が係止孔１８ａの右面に当接することによって扉体４の開放位置に向けてのスライド移動が阻止されるようになっている。つまり、突部２０は、扉体４を閉塞位置で保持するための本発明における保持手段を構成している。
【００２８】
一方、図５（ａ）及び図５（ｂ）に示すように、上部レール３内における閉塞位置に配置された扉体４の左端部上方には、閉塞位置に配置されている扉体４を開放位置に向けて付勢するための、本発明における付勢手段としての付勢装置２１が設けられている。
【００２９】
この付勢装置２１は、上部レール３内に直接取り付けられるケース体２２と、ケース体２２内を左右方向に移動自在に収納されたキャッチャー２３と、キャッチャー２３を扉体４の閉塞位置側から開放位置側に向けて付勢するコイルバネ２４と、から構成されている。具体的には、ケース体２２は、内部が中空に形成されており、上部レール３内に左右方向を向いて取り付けられている。また、ケース体２２の下部には、ケース体２２の右部から左端部にかけて開口２２ａが形成されている。
【００３０】
キャッチャー２３の上部と下部とには、特に図示はしないが、ケース体２２の内側上面及び下面に当接するボールキャスターが取り付けられている。これらボールキャスターによってキャッチャー２３はケース体２２内を開放位置側と閉塞位置側とにかけて移動可能となっている。また、キャッチャー２３の左端部の前後方向略中央には、キャッチャー２３の左方と下方とに開口する凹部２３ａが形成されている。更に、キャッチャー２３の左面には、凹部２３ａを挟んで前後にコイルバネ２４の一端が接続されている。尚、これらコイルバネ２４の他端は、ケース体２２内の左端部に形成された保持片２２ｂに取り付けられている。
【００３１】
上述のように構成された付勢装置２１には、扉体４を開放位置側から閉塞位置に向けてスライド移動させることで、ケース体２２の開口２２ａに係止ピン１０ｃが開放位置側（左方）から進入する。そして、係止ピン１０ｃの上端部はキャッチャー２３の凹部２３ａに収納配置される。そして、更に扉体４を閉塞位置に向けて移動させることで、係止ピン１０ｃがキャッチャー２３をケース体２２内で閉塞位置に向けて移動させる。
【００３２】
このとき、コイルバネ２４は自然長の状態から閉塞位置に向けて引き伸ばされるので、コイルバネ２４にはキャッチャー２３を開放位置に向けて付勢する復元力がはたらく。更に、上述したように、扉体４は閉塞位置において、突部２０がストッパー１８の係止孔１８ａに挿通されることで開放位置に向けてのスライド移動が阻止されるようになっているので、キャッチャー２３のコイルバネ２４による開放位置への付勢はそのまま保持される。
【００３３】
次に、上述のように構成されたスライド扉１において、閉塞位置に配置されている扉体４を開放位置に向けてスライド移動させる場合の動作について説明する。先ず、図１及び図２に示すように、閉塞位置に配置されている扉体４の把手１３を、使用者が扉体４の正面側から背面側に向けて押圧する。
【００３４】
把手１３が押圧されることによって、スライダー１２が把手１３のテーパー面１３ａによってケース体１１内で上方に向けて押し上げられるため、スライダー１２と共にシャフト１５が上方に向けて押し上げられ、シャフト１５の上端部がストッパー１８の左部を上方に向けて押圧する。
【００３５】
そして、図３に示すように、ストッパー１８は、左部が上方に向けて押圧されることで、右部が枢軸１９を中心に下方に向けて揺動され、突部２０の係止孔１８ａへの挿通が解除される。つまり、把手１３は、突部２０による扉体４の閉塞位置での保持を解除する、本発明における保持解除手段を構成している。
【００３６】
このとき、図５（ａ）に示すように、付勢装置２１内でコイルバネ２４に自然長に戻ろうとする復元力がはたらくため、コイルバネ２４の一端が接続されているキャッチャー２３は、ケース体２２内を開放位置に向けて移動する。更に、キャッチャー２３のコイルバネ２４による開放位置への移動は係止ピン１０ｃによって扉体４に伝達されるため、扉体４は開放位置に向けてスライド移動する。
【００３７】
尚、本実施例におけるコイルバネ２４の復元力の大きさは、扉体４を全開放させるほどの大きさでなくてもよく、閉塞位置で静止している扉体４が閉塞位置から開放位置に向けて僅かに開放される程度の初動を与える力であれば十分である。すなわち、閉塞位置で静止している扉体４がローラ９，１０ｂで下部レール２及び上部レール３のガイド片３ｂから受ける静止摩擦力よりも、閉塞位置から開放位置に向けて移動している扉体４がローラ９，１０ｂで下部レール２及び上部レール３のガイド片３ｂから受ける動摩擦力の方が小さくなっており、扉体４にコイルバネ２４の復元力によって初動を与えることができれば、力の弱い老人等の使用者であっても、扉体４を開放位置に向けて容易に移動させることができる。
【００３８】
つまり、扉体４は、コイルバネ２４の復元力によって閉塞位置で静止している状態から開放位置に向かって移動するため、使用者は扉体４を閉塞位置から開放位置に向けてスライド移動させる初動動作に要する力は把手１３を押圧するだけでよい。
【００３９】
コイルバネ２４の復元力による扉体４の開放位置への加速を利用して、使用者は把手１３を掴んだ状態のまま扉体４を開放位置に向けて移動させることで係止ピン１０ｃをキャッチャー２３の凹部２３ａ内及びケース体２２の開口２２ａから離脱でき、扉体４の開放に要する力をさほど必要としない。
【００４０】
以上、本実施例におけるスライド扉１にあっては、扉体４を閉塞位置から開放位置に向けて付勢する付勢装置２１と、扉体４を閉塞位置で保持する突部２０と、突部２０による扉体４の保持を解除する保持解除手段と、を備え、保持解除手段は、扉体４の正面側から操作されることで突部２０による扉体４の保持を解除するので、閉塞位置で突部２０による保持を解除された扉体４は、閉塞位置から開放位置に向けて付勢装置２１による付勢力によって牽引されるので、使用者が扉体４を閉塞位置から開放位置に向けてスライド移動させる初動にかかる力が軽減され、扉体４を開放位置に向けて移動させ易くすることができる。
【００４１】
また、保持解除手段は、扉体４の正面側から押圧操作されることで突部２０による扉体４の保持を解除するので、使用者は、例えば、保持解除手段に対して体重をかける等のさほど力を必要としない押圧動作によって、閉塞位置での突部２０による扉体４の保持を解除することができる。
【００４２】
また、保持解除手段は、扉体４の把手１３であるので、使用者は、閉塞位置での突部２０による扉体４の保持を行いながら把手１３を把持することで、スムーズに扉体４を開放位置に向けてスライド移動させることができる。
【００４３】
以上、本発明の実施例を図面により説明してきたが、具体的な構成はこれら実施例に限れるものではなく、本発明の要旨を逸脱しない範囲における変更や追加があっても本発明に含まれる。
【００４４】
例えば、前記実施例では、使用者が把手１３を扉体４の正面側から背面側に向けて押圧することで、扉体４が閉塞位置から開放位置に向けて移動するように構成したが、把手を左右方向にスライド移動可能に側部フレーム６に取り付け、使用者がこの把手を掴んだ状態から開放位置に向けて押圧することで、扉体４が閉塞位置から開放位置に向けて移動するようにしてもよい。
【００４５】
また、前記実施例では、スライド扉１を引き違い状態の２枚の扉体４を用いて説明したが、扉体４の枚数は１枚であってもよい。
【００４６】
また、前記実施例では、老人ホーム等の部屋の出入口に設けられたスライド扉１を例に説明したが、例えば、物品を収納するための収納棚にスライド扉１を設けることで、収納棚の内部を開閉可能としてもよい。この場合には、ストッパー１８の係止孔１８ａに挿通されている突部２０の係止孔１８ａの右面への当接が施錠として機能する。このため、地震等に際して扉体４が無闇に開放されることに伴い、収納棚の内部から物品が落下することを防ぐことができる。
【符号の説明】
【００４７】
１                スライド扉
３                上部レール
４                扉体
６                側部フレーム
６ａ              溝部
６ｂ              開口部
１０ｃ            係止ピン
１２              スライダー
１２ａ            テーパー面
１３              把手（保持解除手段）
１３ａ            テーパー面
１５              シャフト
１６              係止部材
１８              ストッパー
１８ａ            係止孔
１８ｂ            テーパー面
２０              突部（保持手段）
２０ａ            テーパー面
２１              付勢装置（付勢手段）
２３              キャッチャー
２３ａ            凹部
２４              コイルバネ
【図１】
2010285852.tif 000003
【図２】
2010285852.tif 000004
【図３】
2010285852.tif 000005
【図４】
2010285852.tif 000006
【図５】
2010285852.tif 000007